(57)【要約】【課題】本発明は、打球音によってボールがスイートスポットに当たったどうかを比較的容易に判断することができるゴルフクラブを提供することを課題とする。【解決手段】本発明に係るゴルフクラブは、シャフトと、このシャフトの先端に設けられるクラブヘッドとを備えるゴルフクラブであって、前記クラブヘッドが、ヘッド本体と、このヘッド本体の打面に配設される板状のフェイス部材とを有し、前記フェイス部材が、フェイス部材の上端面、下端面又はその両面の一部分だけでヘッド本体に固定されることを特徴とする。前記フェイス部材の固定位置が、フェイス部材を自由支持した場合の固有振動の節の近傍であるとよい。前記フェイス部材のロックウェルＣスケール硬さとしては４０以上が好ましい。前記フェイス部材がセットスクリューによってヘッド本体に固定されているとよい。前記フェイス部材が、上下各２点で本体に固定されるとよい。【選択図】図１
2017169785.tif 000002
【特許請求の範囲】
【請求項１】
シャフトと、このシャフトの先端に設けられるクラブヘッドとを備えるゴルフクラブであって、
前記クラブヘッドが、ヘッド本体と、このヘッド本体の打面に配設される板状のフェイス部材とを有し、
前記フェイス部材が、フェイス部材の上端面、下端面又はその両面の一部分だけでヘッド本体に固定されることを特徴とするゴルフクラブ。
【請求項２】
前記フェイス部材の固定位置が、フェイス部材を自由支持した場合の固有振動の節の近傍である請求項１に記載のゴルフクラブ。
【請求項３】
前記フェイス部材のロックウェルＣスケール硬さが４０以上である請求項１又は請求項２に記載のゴルフクラブ。
【請求項４】
前記フェイス部材がセットスクリューによってヘッド本体に固定されている請求項１、請求項２又は請求項３に記載のゴルフクラブ。
【請求項５】
前記フェイス部材が、上下各２点で本体に固定される請求項１から請求項４のいずれか１項に記載のゴルフクラブ。
【発明の詳細な説明】
【技術分野】
【０００１】
本発明は、ゴルフクラブに関する。
【背景技術】
【０００２】
ゴルフでは、クラブヘッドの打面の中心（いわゆるスイートスポット）にボールを当てることが重要である。プレイヤーがスイートスポットにボールが当たったかどうかを判断する材料の一つとして打球音が挙げられる。このため、特にドライバー等のウッドについては、打球音を考慮して設計されたものが市販されている。
【０００３】
クラブの中でも、パターは、比較的弱い力でボールを打つため、打球音が小さく、打球音によってボールがスイートスポットに当たったかどうかを判断することが難しい。これに対して、特開平９−７０４６０号公報には、下面が開口した倒立箱状のヘッドを採用することによって、打球音を比較的大きくすることができるゴルフ用パターが開示されている。しかしながら、前記公報に記載の構造でも、パターの打球音を十分に大きくすることは難しく、打球音によってボールがスイートスポットに当たったどうかを判断することは容易ではない。
【先行技術文献】
【特許文献】
【０００４】
【特許文献１】特開平９−７０４６０号公報
【発明の概要】
【発明が解決しようとする課題】
【０００５】
前記状況に鑑みて、本発明は、打球音によってボールがスイートスポットに当たったどうかを比較的容易に判断することができるゴルフクラブを提供することを課題とする。
【課題を解決するための手段】
【０００６】
前記課題を解決するためになされた発明は、シャフトと、このシャフトの先端に設けられるクラブヘッドとを備えるゴルフクラブであって、前記クラブヘッドが、ヘッド本体と、このヘッド本体の打面に配設される板状のフェイス部材とを有し、前記フェイス部材が、フェイス部材の上端面、下端面又はその両面の一部分だけでヘッド本体に固定されることを特徴とするゴルフクラブである。
【０００７】
当該ゴルフクラブは、前記クラブヘッドが、ヘッド本体と、このヘッド本体の打面に配設される板状のフェイス部材とを有し、前記フェイス部材が、フェイス部材の上端面、下端面又はその両面の一部分だけでヘッド本体に固定され、上端面及び下端面が少なくとも部分的に開放されている。このため、フェイス部材は、自由に振動できる範囲が比較的大きいため、比較的大きく振動することができる。これにより、当該ゴルフクラブは、打球音が比較的大きくなるので、打球音によってボールがスイートスポットに当たったどうかを比較的容易に判断することができる。
【０００８】
前記フェイス部材の固定位置が、フェイス部材を自由支持した場合の固有振動の節の近傍であるとよい。このように、前記フェイス部材の固定位置が、フェイス部材を自由支持した場合の固有振動の節の近傍であることによって、フェイス部材の固定部がフェイス部材の振動を減衰させ難い。このため、当該ゴルフクラブは、残響時間が比較的長い打球音を発することができるので、打球音によってボールがスイートスポットに当たったどうかをより容易に判断することができる。
【０００９】
前記フェイス部材のロックウェルＣスケール硬さが４０以上であるとよい。このように、前記フェイス部材のロックウェルＣスケール硬さが前記下限以上であることによって、フェイス部材の振動が比較的減衰し難くなり、打球音がより大きくなると共に残響時間がより長くなるので、打球音によってボールがスイートスポットに当たったどうかをより容易に判断することができる。
【００１０】
前記フェイス部材がセットスクリューによってヘッド本体に固定されているとよい。このように、前記フェイス部材がセットスクリューによってヘッド本体に固定されていることによって、フェイス部材の固定部分を小さくすることができ、ヘッド本体に振動が伝導することによる打球音の減衰を比較的確実に抑制できる。
【００１１】
前記フェイス部材が、上下各２点で本体に固定されるとよい。このように、前記フェイス部材が、上下各２点で本体に固定されることによって、フェイス部材を安定して固定することができる。
【００１２】
ここで、「自由支持」とは、支持点を固定せず、振動を抑制しない理想的な支持状態を意味する。固有振動の節の「近傍」とは、固有振動の節からのヒールトゥー方向の距離が固有振動の波長の８分の１以下、好ましくは１０分の１以下であることを意味する。「ロックウェルＣスケール硬さ」とは、ＪＩＳ−Ｚ２２４５（２０１１）に準拠して測定される値である。
【発明の効果】
【００１３】
以上のように、本発明のゴルフクラブは、打球音によってボールがスイートスポットに当たったどうかを比較的容易に判断することができる。
【図面の簡単な説明】
【００１４】
【図１】本発明の一実施形態のゴルフクラブを示す模式的部分正面図である。
【図２】図１のゴルフクラブのＡ−Ａ線断面図である。
【図３】本発明の図１とは異なる実施形態のゴルフクラブを示す模式的部分正面図である。
【図４】図３のゴルフクラブのＢ−Ｂ線断面図である。
【発明を実施するための形態】
【００１５】
以下、適宜図面を参照しつつ、本発明の実施の形態を詳説する。
【００１６】
［第一実施形態］
図１及び図２に示す本発明の一実施形態に係るゴルフクラブは、パターである。当該ゴルフクラブは、シャフト１と、このシャフト１の先端に設けられるクラブヘッド２とを備える。
【００１７】
〔シャフト〕
シャフト１としては、公知のシャフトを用いることができる。シャフト１のクラブヘッド２と反対側の端部には、プレイヤー（使用者）が把持するグリップ（不図示）が装着される。
【００１８】
このシャフト１としては、任意のゴルフクラブ用シャフトを用いることができる。つまり、シャフト１の材質、径及び長さは特に限定されない。
【００１９】
〔クラブヘッド〕
クラブヘッド２は、ヘッド本体３と、このヘッド本体３の打面に配設される板状のフェイス部材４とを有する。フェイス部材４は、その上端面及び下端面の一部分、具体的には上下各２点だけでヘッド本体３に固定されている。
【００２０】
クラブヘッド２の形状及び大きさとしては、ゴルフクラブとしての使用が可能なものであれば、特に限定されない。具体的には、例えばＰＧＡ（Ｐｒｏｆｅｓｓｉｏｎａｌ  Ｇｏｌｆ  Ａｓｓｏｃｉａｔｉｏｎ）等の競技団体が定める規則に準拠したものとされることが好ましいが、必ずしもそれらの規則に縛られるものではなく、物理的にボールを打つことができるようなものであればよい。
【００２１】
＜ヘッド本体＞
前記ヘッド本体３は、前側（打撃方向のボール側）にフェイス部材４が配置されるキャビティ５を有する。キャビティ５は、好ましくは打面に垂直な正面視（前後方向前側から観察）でヒールトゥー方向（打面に平行な水平方向）に長い長方形状に形成される。換言すると、ヘッド本体３は、前側が開口する箱状に形成されることが好ましい。また、ヘッド本体３は、前側だけではなく後ろ側も開口する筒状乃至枠状に形成されてもよい。
【００２２】
ヘッド本体３は、キャビティ５の天壁部に上下に貫通するよう形成される１対のねじ穴６と、キャビティ５の底壁部に前記ねじ穴６に対向するよう上向きに突設された１対の固定ピン７とを有する。前記ねじ穴６には、それぞれセットスクリュー（止めねじ）８が螺合する。
【００２３】
ヘッド本体３のキャビティ５の天壁部及び底壁部のフェイス部材４が嵌合する領域での厚さは、ヘッド本体３に当該ゴルフクラブによるボール打撃時の衝撃に耐える強度を付与できる厚さとされる。具体的には、ヘッド本体３のキャビティ５の天壁部及び底壁部のフェイス部材４が嵌合する領域での平均厚さの下限としては、２ｍｍが好ましく、３ｍｍがより好ましい。一方、ヘッド本体３のキャビティ５の天壁部及び底壁部のフェイス部材４が嵌合する領域での平均厚さの上限としては、８ｍｍが好ましく、６ｍｍがより好ましい。ヘッド本体３のキャビティ５の天壁部及び底壁部のフェイス部材４が嵌合する領域での平均厚さが前記下限に満たない場合、強度が不十分となるおそれがある。逆に、ヘッド本体３のキャビティ５の天壁部及び底壁部のフェイス部材４が嵌合する領域での平均厚さが前記上限を超える場合、打面が不必要に小さくなるおそれがある。なお、キャビティ５の天壁部の厚さと底壁部の厚さとは異なってもよい。当該ゴルフクラブにおいては、特に、キャビティ５の底壁部の厚さが上記上限を超える場合、地面に置かれたボールをフェイス部材４の上下方向中心で打つことが難しくなるおそれがある。
【００２４】
ヘッド本体３の前後方向の最大長さの下限としては、２ｃｍが好ましく、３ｃｍがより好ましい。一方、ヘッド本体３の前後方向の最大長さの上限としては、１５ｃｍが好ましく、１０ｃｍがより好ましい。ヘッド本体３の前後方向の最大長さが前記下限に満たない場合、ヘッド本体３の強度が不十分となるおそれや、シャフト１への固定が困難となるおそれがある。逆に、ヘッド本体３の前後方向の最大長さが前記上限を超える場合、当該ゴルフクラブの取り扱いが容易でなくなるおそれがある。
【００２５】
ヘッド本体３の材質としては、特に限定されないが、強度及び加工性に優れる例えばステンレス鋼等の金属が好適に用いられる。
【００２６】
また、固定ピン７の有効径の下限としては、１ｍｍが好ましく、１．４ｍｍがより好ましい。一方、また、固定ピン７の有効径の上限としては、３ｍｍが好ましく、２．５ｍｍがより好ましい。固定ピン７の有効径が前記下限に満たない場合、強度が不足してボール打撃時に変形又は破断するおそれがある。逆に、固定ピン７の有効径が前記上限を超える場合、固定ピン７がフェイス部材４の振動を抑制するおそれがある。なお、「有効径」とは、フェイス部材４に接触する部分の直径を意味する。
【００２７】
また、セットスクリュー８の外径（呼び径）の下限としては、１．２ｍｍが好ましく、１．８ｍｍがより好ましい。一方、また、セットスクリュー８の外径の上限としては、４ｍｍが好ましく、３ｍｍがより好ましい。セットスクリュー８の外径が前記下限に満たない場合、強度が不足してボール打撃時に変形又は破断するおそれがある。逆に、セットスクリュー８の外径が前記上限を超える場合、セットスクリュー８がフェイス部材４の振動を抑制するおそれがある。
【００２８】
＜フェイス部材＞
フェイス部材４は、好ましくは正面視でヒールトゥー方向に長い長方形状に形成される。また、フェイス部材４は、ヒールトゥー方向及び上下方向にそれぞれ対称な形状を有することが好ましい。このように、フェイス部材４を上下左右に対称に形成することによってフェイス部材４の振動が定在波となり、特定の波長の振動が大きくなって、比較的大きな音を発することができる。
【００２９】
このフェイス部材４は、前記キャビティ５の開口部を略封止し、キャビティの５の周壁（天壁、底壁及び側壁）及び奧壁との間にそれぞれ隙間を形成するよう、前記固定ピン７及びセットスクリュー８によって、打撃方向に略垂直に保持される。フェイス部材４は、前側表面が、ヘッド本体３の周壁の前端面と同一平面上又は前方に配置されることが好ましい。
【００３０】
フェイス部材４の上下方向の平均幅の下限としては、８ｍｍが好ましく、１０ｍｍがより好ましい。一方、フェイス部材４の上下方向の平均幅の上限としては、４０ｍｍが好ましく、２０ｍｍがより好ましい。フェイス部材４の上下方向の平均幅が前記下限に満たない場合、ボールをフェイス部材４に当てることが容易でなくなるおそれがある。逆に、フェイス部材４の上下方向の平均幅が前記上限を超え場合、フェイス部材４の上下方向中央にボールを当てることが困難となるおそれがある。
【００３１】
フェイス部材４のヒールトゥー方向の平均幅の下限としては、４ｃｍが好ましく、５ｃｍがより好ましい。一方、フェイス部材４のヒールトゥー方向の平均幅の上限としては、８ｃｍが好ましく、７ｃｍがより好ましい。フェイス部材４のヒールトゥー方向の平均幅が前記下限に満たない場合、フェイス部材４のスイートスポットが小さくなるおそれがある。逆に、フェイス部材４のヒールトゥー方向の平均幅が前記上限を超え場合、クラブヘッドのヒールトゥー方向の幅が大きくなりすぎるおそれがある。
【００３２】
フェイス部材４とキャビティの５の周壁との平均間隔の下限としては、０．５ｍｍが好ましく、１ｍｍがより好ましい。一方、フェイス部材４とキャビティの５の周壁との平均間隔の上限としては、５ｍｍが好ましく、３ｍｍがより好ましい。フェイス部材４とキャビティの５の周壁との平均間隔が前記下限に満たない場合、フェイス部材４の裏面側の空気振動が外部に伝わり難いことで打球音が小さくなるおそれや、残響が短くなるおそれがある。逆に、フェイス部材４とキャビティの５の周壁との平均間隔が前記上限を超える場合、打面が不必要に小さくなるおそれがある。
【００３３】
フェイス部材４とキャビティの５の奥壁との前後方向の平均間隔の下限としては、３ｍｍが好ましく、５ｍｍがより好ましい。一方、フェイス部材４とキャビティの５の奥壁との平均間隔の上限としては、５ｃｍが好ましく、３ｃｍがより好ましい。フェイス部材４とキャビティの５の奥壁との平均間隔が前記下限に満たない場合、フェイス部材４とキャビティの５の奥壁と間の空気層がフェイス部材４の振動を抑制するおそれがある。逆に、フェイス部材４とキャビティの５の奥壁との平均間隔が前記上限を超える場合、クラブヘッド２が大きくなりすぎるおそれがある。
【００３４】
フェイス部材４は、ヘッド本体３へのより確実な固定のために、その上端面に形成され、前記セットスクリュー８が係合する１対の上部座ぐり９と、その下端面に形成され、前記固定ピン７が係合する１対の下部座ぐり１０とを有するとよい。
【００３５】
なお、上部座ぐり９及び下部座ぐり１０は、一方が例えば円錐状、球面状等の断面積が単調減少する回転面状の凹部であり、他方が例えばＶ溝状等の幅が単調減少する溝状であることが好ましい。このように、上部座ぐり９及び下部座ぐり１０の一方が溝状に形成されることによって、ヘッド本体３及びフェイス部材４の打面に沿うヒールトゥー方向の寸法誤差を吸収することができる。
【００３６】
上部座ぐり９の平均径及び下部座ぐり１０の平均幅の下限としては、１ｍｍが好ましく、１．５ｍｍがより好ましい。一方、上部座ぐり９の平均径及び下部座ぐり１０の平均幅の上限としては、５ｍｍが好ましく、３ｍｍがより好ましい。上部座ぐり９の平均径及び下部座ぐり１０の平均幅が前記下限に満たない場合、セットスクリュー８又は固定ピン７との係合が不十分となるおそれがある。逆に、上部座ぐり９の平均径及び下部座ぐり１０の平均幅が前記上限を超える場合、フェイス部材４を正確に位置決めできないおそれや、フェイス部材４の振動を歪ませるおそれがある。
【００３７】
上部座ぐり９の最大深さ及び下部座ぐり１０の平均幅の下限としては、０．３ｍｍが好ましく、０．５ｍｍがより好ましい。一方、上部座ぐり９の最大深さ及び下部座ぐり１０の平均幅の上限としては、１．５ｍｍが好ましく、１ｍｍがより好ましい。上部座ぐり９の最大深さ及び下部座ぐり１０の平均幅が前記下限に満たない場合、セットスクリュー８又は固定ピン７との係合が不十分となるおそれがある。逆に、上部座ぐり９の最大深さ及び下部座ぐり１０の平均幅が前記上限を超える場合、フェイス部材４の振動を歪ませるおそれがある。
【００３８】
上部座ぐり９及び下部座ぐり１０のヒールトゥー方向の位置、つまりフェイス部材４の固定位置としては、フェイス部材４を自由支持した場合の固有振動の節の近傍が好ましい。このように、フェイス部材４を自由支持した場合の固有振動の節の近傍で支持することによって、フェイス部材４を固定する構造がフェイス部材４の振動を阻害しない。つまり、セットスクリュー８及び固定ピン７を前記固有振動の節に配置することによって、セットスクリュー８及び固定ピン７を介してヘッド本体３へ振動エネルギーが放散しないため、フェイス部材４の振動が減衰することを抑制できる。このため、当該ゴルフクラブでボールを打ったときに発生するフェイス部材４は、残響が長く、プレイヤーが打球音を聞き分け易い。
【００３９】
また、フェイス部材４を自由支持した場合の固有振動の節の近傍で支持することによって、フェイス部材４の正面視で中央が振動の腹となる。フェイス部材４の振動の腹となる位置は、フェイス部材４の弾性による反発力が得易く、ボールにクラブヘッド２の運動エネルギーを的確に伝達できるスイートスポットである。さらに、この振動の腹となる位置は、フェイス部材４を最も効率よく振動させられる位置でもある。
【００４０】
これにより、当該ゴルフクラブでボールを打ったときに、ボールがスイートスポットに当たった場合には、フェイス部材４がより大きな振幅で振動してより大きな音を発し、かつより残響の時間が長くなる。また、ボールの打点がスイートスポットを外れるほど、最初に固有振動の共振周波数とは異なる周波数成分を含む振動が生じ易くなる。このため、当該ゴルフクラブは、打球音の音色、音圧及び残響の長さによってボールがスイートスポットに当たったどうかを比較的容易に判断することができる。
【００４１】
フェイス部材４の固定位置が節となる固有振動は、奇数次振動モードであることが好ましい。フェイス部材４が均質で厚さが一定な長方形板状である場合、奇数次振動モードでは、フェイス部材４のヒールトゥー方向中央部が振動の腹、つまりスイートスポットになるためゴルフクラブとして使用し易いものとなる。
【００４２】
特に、フェイス部材４の固定位置が節となる固有振動は、１次振動モードであることが特に好ましい。各次の振動モードの中でも１次振動モードは、節の間隔が最も大きく、打撃エネルギーに対して得られる振幅が最も大きくなる。従って、フェイス部材４を１次振動モードの節でヘッド本体３に固定することで、スイートスポットをより大きく、かつ打撃音をより大きくすることができる。具体的には、フェイス部材４が均質で厚さが一定な長方形板状である場合、前記固有振動の節は、フェイス部材４の両端からそれぞれフェイス部材４の長さの約０．２２４倍となる。
【００４３】
フェイス部材４の固定位置の間（対向する上部座ぐり９と下部座ぐり１０とを結ぶ直線の間の領域）での平均厚さの下限としては、１ｍｍが好ましく、１．５ｍｍがより好ましい。一方、フェイス部材４の固定位置の間での平均厚さの上限としては、１０ｍｍが好ましく、８ｍｍがより好ましい。フェイス部材４の固定位置の間での平均厚さが前記下限に満たない場合、フェイス部材４の強度が不十分となるおそれがある。逆に、フェイス部材４の固定位置の間での平均厚さが前記上限を超える場合、フェイス部材４の固有振動周波数（つまり打球音の周波数）が小さくなることで打球音を聞き取り難くなるおそれがある。
【００４４】
フェイス部材４は、全体的に厚さが一定であってもよいが、部分的に厚さが異なってもよい。例えば、フェイス部材４のヒールトゥー方向両端部近傍における厚さをヒールトゥー方向中央部における厚さよりも大きくすることによって、ヒールトゥー方向両端部の質量が大きくなり、フェイス部材４の固有振動の節が板厚が一定の場合よりもヒールトゥー方向両端に近くなる。これにより、固有振動の振幅が大きくなる範囲を広げることができるので、当該ゴルフクラブのスイートスポットを広げることができる。
【００４５】
前記フェイス部材４の固有振動の節の移動は、フェイス部材４のヒールトゥー方向両端部近傍におもりを取り付けることによっても得ることができる。なお、フェイス部材４の厚さ（重さ）は、上下方向には変化しないことが好ましい。フェイス部材４の厚さが上下方向に変化すると、固有振動の上下方向の成分が生じることで進行波が形成されて音が歪んだり音圧が低下したりするおそれがある。
【００４６】
フェイス部材４の材質としては、硬度が比較的大きい鋼が好ましく、焼き入れ処理した鋼がより好ましい。このように、フェイス部材４を硬度が大きい材質で形成することによって、フェイス部材４の固有振動数を比較的高くすることができ、打球音を聞き取り易くすることができる。なお、フェイス部材４の表面には、例えばハードクロムメッキ等の防錆処理を施してもよい。
【００４７】
フェイス部材４のロックウェルＣスケール硬さ（ＨＲＣ）の下限としては、４０が好ましく、５０がより好ましく、５５がさらに好ましい。一方、フェイス部材４のロックウェルＣスケール硬さの上限としては、８０が好ましく、７５が好ましい。フェイス部材４のロックウェルＣスケール硬さが前記下限に満たない場合、フェイス部材４の固有振動周波数（つまり打球音の周波数）が小さくなることや振動が減衰し易くなることで打球音を聞き取り難くなるおそれがある。逆に、フェイス部材４のロックウェルＣスケール硬さが前記上限を超える場合、フェイス部材４の加工が難しくなることで当該ゴルフクラブが不必要に高価となるおそれがある。
【００４８】
＜利点＞
以上のように、当該ゴルフクラブは、ヘッド本体３に対してフェイス部材４を上下の端面の一部分（４箇所）だけで固定したので、フェイス部材４が振動し易く、比較的大きく残響が長い打球音を発する。また、この打球音は、フェイス部材４のスイートスポットとなる固有振動の腹にボールが当たった場合に、より歪みが小さく、音圧が大きくなる。このため、当該ゴルフクラブは、打球音によってボールがスイートスポットに当たったどうかを比較的容易に判断することができる。
【００４９】
［第二実施形態］
図３及び図４に示す本発明の別の実施形態に係るゴルフクラブはシャフト１と、このシャフト１の先端に設けられるクラブヘッド２ａとを備える。
【００５０】
図３のゴルフクラブにおけるシャフト１は、図１のゴルフクラブにおけるシャフト１と同様とすることができる。
【００５１】
〔クラブヘッド〕
クラブヘッド２ａは、ヘッド本体３ａと、このヘッド本体３ａの打面に配設される板状のフェイス部材４ａとを有する。フェイス部材４ａは、その上端面の２点だけでヘッド本体３ａに固定されている。つまり、フェイス部材４ａは、下端側がヘッド本体３ａに固定されていない。
【００５２】
図３のゴルフクラブにおけるヘッド本体３ａ及びフェイス部材４ａの構成は、フェイス部材４ａのヘッド本体３ａに対する固定に係る構成を除いて、図１のゴルフクラブにおけるヘッド本体３及びフェイス部材４の構成と同様とすることができる。
【００５３】
フェイス部材４ａには、上端面の固有振動の２つの節の位置からそれぞれ上方に突出する２つの固定突起１１が突設されている。この固定突起１１は、例えば板状の材料からフェイス部材４ａと一体に切り出すことができる。また、固定突起１１は、溶接等によってフェイス部材４ａに固定されてもよい。
【００５４】
フェイス部材４ａは、ヘッド本体３ａのキャビティ５の天壁の前端面に固定突起１１を取り付けることによって、キャビティ５の開口を略封止するよう固定される。好ましくは、固定突起１１は、ヘッド本体３ａの天壁の前端面に形成される嵌合凹部に嵌合する。
【００５５】
ヘッド本体３ａへの固定突起１１の固定方法としては、例えば溶接等を用いることもできるが、図４に示すように、ねじ１２を用いる方法が好適に用いられる。固定突起１１には、ねじ１２が挿通される固定孔１３が形成される。固定孔は、図示するようにねじ１２の頭が嵌合する座ぐりを有することが好ましい。
【００５６】
また、固定突起１１は、フェイス部材４ａの振動を制限し難くなるよう、図示するように上端面から延出する部分のヒールトゥー方向の幅を小さくしてもよい。
【００５７】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００５８】
本発明は、パター以外のゴルフクラブ、例えばドライバー等のウッドやアプローチウェッジ等のアイアンに適用されてもよい。
【００５９】
当該ゴルフクラブにおけるフェイス部材の正面視形状は、長方形に限られず、例えば長楕円形、半楕円形、三角形等、任意の形状とすることができる。但し、フェイス部材は、ボールの径を考慮すると、クラブヘッドが地面に当接せず、フェイス部材の中央でボールを打つことが容易となるよう、下端縁がヒールトゥー方向に直線的に延在する形状又はわずかに下に凸状となる形状であることが好ましい。
【００６０】
当該ゴルフクラブにおけるフェイス部材の固定方法は、前記実施形態の方法に限られず、任意の方法を用いることができる。
【００６１】
例えば、フェイス部材は、上限に貫通するピンを用いてヘッド本体に固定されてもよい。また、セットスクリューを用いる場合であっても、フェイス部材の下側をセットスクリューで固定してもよく、上下両側をセットスクリューで固定してもよい。
【００６２】
また、フェイス部材に固定突起を設ける場合でも、上下に固定突起を設けて上下両端を固定してもよい。この場合、例えば下側の固定突起がヘッド本体の嵌合凹部に嵌合するだけで、ねじ止めされていなくてもよい。このように構成することで、ヘッド本体の底壁の薄型化が容易となる。
【００６３】
また、当該ゴルフクラブにおけるフェイス部材は、ヘッド本体に対して上端面の１点、下端面の１点又は上下端面の各１点のみで固定されてもよい。また、上端面の水平方向固定位置と下端面の水平方向固定位置とが異なってもよい。例として、フェイス部材は、２つの共振点の一方の上端部と他方の下端部とが固定され、一方の下端部と他方の上端部とが固定されなくてもよい。
【００６４】
また、当該ゴルフクラブにおいて、ヘッド本体は、キャビティの周壁や奥壁に音を通過させる貫通孔を有してもよい。
【産業上の利用可能性】
【００６５】
本発明に係るゴルフクラブは、特にパターとして好適に利用することができる。
【符号の説明】
【００６６】
１  シャフト
２，２ａ  クラブヘッド
３，３ａ  ヘッド本体
４，４ａ  フェイス部材
５  キャビティ
６  ねじ孔
７  固定ピン
８  セットスクリュー
９  上部座ぐり
１０  下部座ぐり
１１  固定突起
１２  ねじ
１３  固定孔
【図１】
2017169785.tif 000003
【図２】
2017169785.tif 000004
【図３】
2017169785.tif 000005
【図４】
2017169785.tif 000006